(57)【要約】【課題】貼着時に位置ずれが生じにくい表面貼着シートを提供する。【解決手段】貼着シート１１の矩形の貼着面の全面に剥離可能に貼り付けられた剥離シート１２に、貼着面の一つのコーナーに貼り付けられた部分のみを切り取るための、多数の微細カットからなるカットスターター１２１を設ける。貼着時には、使用者はカットスターター１２１から剥離シート１２を切り裂いて剥離シート１２のコーナー部を切り取り、貼着シート１１の貼着面における一つのコーナーのみを露出させる。この状態で、表面貼着シート１０の剥離シート側を被貼着面に接触させ、貼着シート１１の上記コーナーを除く３つのコーナーが被貼着面の所定箇所に一致するように貼着シート１１の貼着位置を微調整する。このように貼着シート１１上の３点を貼着位置の基準点として用いることができるため、１辺（２点）を基準点とする場合よりも位置ずれが生じにくい。【選択図】図１
2011219685.tif 000002
【特許請求の範囲】
【請求項１】
a)被貼着面に貼着される貼着シートと、
b)前記貼着シートの矩形の貼着面の全面に剥離可能に貼り付けられ、該貼着面の一つのコーナーに貼り付けられた部分のみを切り取るためのコーナー切り取り手段を有する剥離シートと
を備えることを特徴とする表面貼着シート。
【請求項２】
前記剥離シートの少なくとも一辺が前記貼着シートよりも外側に張り出しており、
前記コーナー切り取り手段が、前記辺の縁に形成された、該辺からその隣の辺に向かって延伸するように穿設された多数の微細カットから成るカットスターターであることを特徴とする請求項１に記載の表面貼着シート。
【請求項３】
前記剥離シートの少なくとも一辺が前記貼着シートよりも外側に張り出しており、
前記コーナー切り取り手段が、前記辺の縁に形成された、該辺からその隣の辺に向かって切り込まれた切り込みであることを特徴とする請求項１に記載の表面貼着シート。
【請求項４】
前記剥離シートが、二軸延伸ポリプロピレンからなるものであることを特徴とする請求項１〜３のいずれかに記載の表面貼着シート。
【発明の詳細な説明】
【技術分野】
【０００１】
本発明は、電子機器の表面画面等に貼着される貼着シート及びその貼着面に予め貼付しておく剥離シートから成る表面貼着シートに関する。
【背景技術】
【０００２】
従来より携帯電話やゲーム機、テレビ等の電子機器では、表示画面の傷や汚れを防止する目的で、使用者が表示画面に透明な保護シート（貼着シート）を貼着することが行われている。貼着の際には、使用者は貼着シートの貼着面を覆う剥離シートを剥がし、露出した貼着面を表示画面に押し付けて密着させることにより、貼着シートを表示画面に貼着する。
【０００３】
貼着シートから剥離シートを剥がす際に貼着シートの貼着面の全面を露出させると、貼着面の一部が意図しない箇所に貼り付きやすく作業性が悪い。そこで、貼着シートの貼着面を段階的に露出させることが可能な剥離シートが提案されている（特許文献１参照）。この剥離シートには剥離シートを横断するミシン目等の切取線が予め形成されている。使用者はその線に沿って剥離シートの一部を切り取ることにより貼着シートの貼着面の一部を露出させ、その部分をまず初めに被貼着面に貼着する。次にその状態で剥離シートの残りの部分を貼着シートから剥がし、貼着シートの全面を被貼着面に貼着する。これにより、貼着面が意図しない箇所に貼り付くことが生じにくく作業性が向上する。
【先行技術文献】
【特許文献】
【０００４】
【特許文献１】実登第3153605号公報
【発明の概要】
【発明が解決しようとする課題】
【０００５】
特許文献１に記載の表面貼着シートでは、使用者は剥離シートの一辺に沿った部分を帯状に剥離して貼着シートの貼着面の一部を露出させた状態で、被貼着面に対する貼着シートの位置を決める。このとき、露出した貼着面が被貼着面に触れないようにしつつ、未だ剥離シートを剥離していない部分を被貼着面上で移動させ、表面貼着シートの位置を決める。その際、被貼着面上における貼着シートの位置決めの基準点としては、通常、前記露出面に対向する辺（すなわち、その両端の２つのコーナー）を用いる。しかし、貼着シート上の１辺（すなわち、その両端の２点）のみを基準点とすると、その辺の僅かの傾き（すなわち、これら２点の僅かの位置ずれ）によって、そこから離れた箇所（特に、その辺の対辺）にて大きな位置ずれが生じやすい。
【０００６】
本発明はこのような点に鑑みてなされたものであり、その目的とするところは、貼着時に位置ずれが生じにくい表面貼着シートを提供することにある。
【課題を解決するための手段】
【０００７】
上記課題を解決するために成された本発明に係る表面貼着シートは、
a)被貼着面に貼着される貼着シートと、
b)前記貼着シートの矩形の貼着面の全面に剥離可能に貼り付けられ、該貼着面の一つのコーナーに貼り付けられた部分のみを切り取るためのコーナー切り取り手段を有する剥離シートと
を備えることを特徴とする表面貼着シート。
【発明の効果】
【０００８】
本発明に係る表面貼着シートでは、貼着シートを被貼着面に貼着する際に、使用者はコーナー切り取り手段を用いて剥離シートのコーナー部を切り取り、貼着シートの貼着面における一つのコーナーのみを露出させる。次に、この露出面を被貼着面から離間させた状態で、表面貼着シートの剥離シート側を被貼着面に接触させる。そしてその状態で、貼着シートの上記コーナーを除く３つのコーナーが被貼着面の所定箇所に一致するように貼着シートの貼着位置を決める。このように本発明に係る表面貼着シートでは、貼着位置を決める際に、貼着シート上の３点を基準点として用いることができるため、１辺（２点）を基準点とする場合よりも位置ずれが生じにくい。
【図面の簡単な説明】
【０００９】
【図１】本発明の一実施例に係る表面貼着シートを説明する図であり、(ａ)は平面図、(ｂ)は(ａ)のＡ−Ａ矢視断面図である。
【図２】一辺の縁に切り込みが形成された表面貼着シートの平面図。
【図３】剥離シートのコーナー部に切取線が形成された表面貼着シートの平面図。
【図４】複数箇所にカットスターターが形成された表面貼着シートの平面図。
【発明を実施するための形態】
【００１０】
以下、本発明の一実施例である表面貼着シートについて、図面を参照して説明する。本実施例の表面貼着シート１０は、図１に示すように、携帯電話や携帯ゲーム機等の表面画面に貼着される貼着シート１１、及び、その貼着面に予め貼付しておく剥離シート１２から構成される。
【００１１】
貼着シート１１は無色又は薄有色透明の矩形のプラスチックシートであり、例えば厚さ0.02〜0.2mm程度のＰＥＴ（ポリエチレンテレフタレート）やＰＣ（ポリカーボネート）等のシートである。その一方の面には粘着層が形成されている。粘着層を構成する粘着剤としては、透明性が高く、剥離シート１２や被貼着面に対して適度な粘着力を有するものを用いる。その一例としてはシリコーン系の粘着剤が挙げられる。他方の面には、貼着シート１１の機能性を高めるために、反射防止膜や、傷を付きにくくするためのハードコート層、他人からの覗き見を防止するための視野角制限機能を有する層等を形成してもよい。
【００１２】
本実施例の剥離シート１２は無色又は薄有色透明の矩形のプラスチックシートであり、各辺が貼着シート１１よりも外側に張り出している。四辺のうちの一つの辺の縁には、剥離シート１２の一つのコーナー部のみを切り取るために、多数の微細カットから成るカットスターター１２１が形成されている。各微細カットは、上記辺からその隣の辺に向かう方向に、千鳥状に穿設されている。このような構成により、使用者がカットスターター１２１の部分で剥離シート１２を切り裂こうとすると、或る微細カットが切り裂きの起点となり、そこから微細カットの方向に、つまり、カットスターター１２１が形成された辺からその隣の辺に向かって切り込みが入る。なお、本実施例では剥離シート１２の四辺がいずれも貼着シート１１から張り出しているが、少なくともカットスターター１２１が形成される辺さえ貼着シート１１から張り出していれば、他の辺は貼着シート１１から張り出していなくてもよい。
【００１３】
剥離シート１２としては、いずれの方向にも直線的に切り裂くことが容易なプラスチックシートを用いることが望ましい。そのようなシートとしては、例えばＯＰＰ（二軸延伸ポリプロピレン）シート等のように製造時に二軸延伸されたものを用いることができる。これにより、剥離シート１２は、カットスターター１２１で生じた所定方向の切り込みの延長線に沿って直線的に切り裂かれる。なお、剥離シート１２としては、特定方向のみに易裂性を有するプラスチックシート（例えば一軸延伸ポリプロピレンシート等）を用いてもよい。この場合には、剥離シート１２における切り裂かれやすい方向と上記微細カットの延伸方向を一致させる。これにより、剥離シート１２を所定方向に容易に切り裂くことができる。
【００１４】
貼着シート１１を被貼着面に貼着する際には、使用者はカットスターター１２１から剥離シート１２を切り裂いて剥離シート１２のコーナー部を切り取り、貼着シート１１の貼着面における一つのコーナーのみを露出させる。次に、この露出面を被貼着面から離間させた状態で、表面貼着シート１０の剥離シート側を被貼着面に接触させる。そして、貼着シート１１の上記コーナーを除く３つのコーナーが被貼着面の所定箇所に一致するように表面貼着シート１０の貼着位置を微調整する。微調整が終了したら、被貼着面から離間させていた露出面を被貼着面に接触させて仮付けする。そしてその状態で剥離シート１２の残りの部分を貼着シート１１から剥がし、貼着シート１１の全面を被貼着面に貼着する。このように本実施例に係る表面貼着シート１０では、貼着シート１１の貼着位置を微調整する際に、貼着シート１１上の３点を貼着位置の基準点として用いることができるため、１辺（２点）を基準点とする場合よりも位置ずれが生じにくい。
【００１５】
なお、上記実施例は一例であって、本発明の趣旨に沿って適宜変形や修正を行えることは明らかである。例えば、図２に示すように、剥離シート１２の一辺の縁に、その辺から隣の辺に向かって切り込まれた切り込み１２２を形成してもよい。この場合も使用者が切り込み１２２から剥離シート１２を切り裂くことにより、剥離シート１２の一つのコーナー部を切り取ることができる。
【００１６】
図３に示すように、剥離シート１２の或る辺からその隣の辺にかけて貼着シート１１のコーナー部を横切るようにミシン目等の切取線１２３を形成してもよい。この場合は使用者が切取線１２３に沿って剥離シート１２を切断することにより、剥離シート１２の一つのコーナー部を切り取って、貼着シート１１の貼着面における一つのコーナーのみを露出させる。なお、この場合は、必ずしも剥離シート１２の一辺が貼着シート１１よりも外側に張り出していなくてもよいため、剥離シート１２と貼着シート１１の外形寸法を同じにすることができる。
【００１７】
カットスターター１２１や切り込み１２２、切取線１２３等を１枚の剥離シート１２の複数箇所に設け、剥離シート１２の複数のコーナーを切り取り可能にしてもよい（図４参照）。これにより、使用者は利き手等に応じて剥離シート１２のいずれのコーナー部を切り取るかを選択することができ、貼着作業をより行いやすくすることができる。
【００１８】
剥離シートは有色のもの（透明でないもの）を用いてもよい。ただしその場合には、位置決めの基準点とする貼着シートの３つのコーナーにおいて、有色の剥離シートが各コーナーからはみ出さないようにする。これにより、有色の剥離シートを貼着シートに貼り付けたまま、被貼着面上で上記３つのコーナーと被貼着面の所定箇所が一致しているかどうかを確認することができる。なお、このように剥離シートに透明性が要求されない場合には、剥離シートに紙等を用いてもよい。
【００１９】
本発明に係る表面貼着シートは様々な用途に利用することができる。例えば、携帯情報端末、デジタルカメラ、カーナビゲーションシステム、ノートパソコン、テレビ、ＡＴＭ、自動券売機等の各種電子機器の表示画面やタッチパネルを保護する用途に利用することができる。また、これらに限らず、窓ガラスの飛散防止や紫外線カット等の目的で住宅や自動車等の窓ガラスの表面を覆う用途等にも利用することができる。
【符号の説明】
【００２０】
１０…表面貼着シート
１１…貼着シート
１２…剥離シート
１２１…カットスターター
１２２…切り込み
１２３…切取線
【図１】
2011219685.tif 000003
【図２】
2011219685.tif 000004
【図３】
2011219685.tif 000005
【図４】
2011219685.tif 000006